(57)【要約】【課題】頭部と胴部との装着時には装着状態を安定して維持できると共に、頭部と胴部との脱離時には容易に脱離できる歯科用トルクレンチを提供する。【解決手段】歯科用トルクレンチは、頭部及び筒状の胴部を備える本体と、主軸と、ピンとを有する歯科用トルクレンチであって、胴部の内部空間に挿入される、頭部の挿入部に、挿入部の外周面と胴部の内周面との間に挟持可能に設けられ、ピンの軸方向視において所定の開口を有する挟持部材を備え、ピンのピン本体の側面にはピン本体の径方向に突出する突起部を少なくとも１つ設け、挿入部の側面には突起部が挿脱可能に形成された第１切り込み部を設け、頭部と胴部とを連結させる際には、突起部と第１切り込み部とが係合しない状態でピンを挿入部に挿入し、挿入部と胴部との間に挟持部材を挟持させ、第１切り込み部と突起部とを係合させることで、頭部と胴部とがロックされる。【選択図】図３
2020048860.tif 000002
【特許請求の範囲】
【請求項１】
工具が連結される頭部、及び前記頭部に着脱可能に連結される筒状の胴部を備える本体と、
前記胴部に挿入された状態で保持される主軸と、
前記主軸の前記頭部側の一端部に設けられ、前記主軸の軸方向に延在するピンと、
を有する歯科用トルクレンチであって、
前記胴部の内部空間に挿入される、前記頭部の挿入部に、前記挿入部の外周面と前記胴部の内周面との間に挟持可能に設けられ、前記ピンの軸方向視において所定の開口を有する挟持部材を備え、
前記ピンのピン本体の側面には、前記ピン本体の径方向に突出する突起部を少なくとも１つ設け、
前記挿入部の側面には、前記突起部が挿脱可能に形成された第１切り込み部を設け、
前記頭部と前記胴部とを連結させる際には、前記突起部と前記第１切り込み部とが係合しない状態で前記ピンを前記挿入部に挿入して、前記挿入部の外周面と前記胴部の内周面との間に前記挟持部材を挟持させ、前記第１切り込み部と前記突起部とを係合させることで、前記頭部と前記胴部とがロックされる歯科用トルクレンチ。
【請求項２】
前記挿入部は、その側面に、周方向にわたって形成された、前記挟持部材を収容する溝部を有し、
前記溝部に前記第１切り込み部が設けられる請求項１に記載の歯科用トルクレンチ。
【請求項３】
前記挿入部は、前記ピンが挿入される他端部に、内径が前記溝部に位置する前記挿入部の内径よりも大きい口径拡大部を備え、
前記溝部に位置する前記挿入部の内周面と前記口径拡大部に位置する前記挿入部の内周面との間に段差が形成される請求項２に記載の歯科用トルクレンチ。
【請求項４】
前記口径拡大部の側面に、前記第１切り込み部と連通する第２切り込み部が形成される請求項３に記載の歯科用トルクレンチ。
【請求項５】
前記ピンは、前記ピン本体の前記頭部とは反対側の端部に、径方向の大きさが前記ピン本体よりも大きく、前記口径拡大部よりも小さい拡大部を備える請求項３又は４に記載の歯科用トルクレンチ。
【請求項６】
前記ピンは、前記ピン本体の先端に、前記頭部に露出して前記工具に一方向に回転力を伝達する爪部を備える請求項１〜５の何れか１項に記載の歯科用トルクレンチ。
【発明の詳細な説明】
【技術分野】
【０００１】
本開示は、歯科用トルクレンチに関する。
【背景技術】
【０００２】
インプラント治療では、一般的に、顎骨に埋め込まれた歯根部に支持台をねじによって固定して、この固定された支持台に人工歯を取り付けている。支持台をねじによって歯根部に取り付ける際のねじを締め付けるトルクが小さいと、人工歯にがたつきが生じる可能性がある。一方、ねじを締め付けるトルクが大きいと、顎骨等に損傷が生じてしまう可能性がある。そのため、支持台を歯根部に取り付ける際には、所定のトルクでねじを締め付けられる歯科用トルクレンチが用いられている。
【０００３】
歯科用トルクレンチは、頭部と胴部とを備える。歯科用トルクレンチでは、一般に、頭部の孔にねじ込み工具を装着して、ねじ締結が行われる。頭部の孔には爪部が突出している。爪部は、レンチを一方の回転方向に回転させたときにねじ込み工具と係合して、ねじ込み工具を回転させる。一方、レンチを逆の回転方向に回転させたときには、爪部はねじ込み工具と係合しないでレンチを空転させる。すなわち、歯科用トルクレンチは、通常、爪部の動作による、いわゆるラチェット機構（送り機能）を有している。
【０００４】
ラチェット機構を備える歯科用トルクレンチでは、レンチの回転方向を１８０°反転させることによって、ねじを締め付ける動作と、ねじを緩める動作とを切り替えて行うことができる。例えば、特許文献１に開示されているトルクレンチでは、ラチェットハンドルに設けられた孔に挿入されたボルトロッドをラチェットハンドルから引き抜き、ボルトロッドを１８０°回転させている。その後、ボルトロッドをラチェットハンドルの中に引き戻し、ボルトロッドを介して留め金鼻部をラチェット器具のラチェット頭部に係合させることによって、トルクレンチの回転方向を反転させている。
【先行技術文献】
【特許文献】
【０００５】
【特許文献１】特許第２９６６７７２号公報
【発明の概要】
【発明が解決しようとする課題】
【０００６】
しかしながら、特許文献１に記載されるようなトルクレンチでは、ボルトロッドをラチェットハンドルの孔の中に挿入された状態で維持すること、及びボルトロッドの挿入や引き抜きに要する力の大きさの軽減については検討されていない。
【０００７】
本発明の一態様は、頭部と胴部との装着時には装着状態を安定して維持できると共に、頭部と胴部との脱離時には容易に脱離できる歯科用トルクレンチを提供することを目的とする。
【課題を解決するための手段】
【０００８】
本発明の一態様に係る歯科用トルクレンチは、工具が連結される頭部、及び前記頭部に着脱可能に連結される筒状の胴部を備える本体と、前記胴部に挿入された状態で保持される主軸と、前記主軸の前記頭部側の一端部に設けられ、前記主軸の軸方向に延在するピンと、を有する歯科用トルクレンチであって、前記胴部の内部空間に挿入される、前記頭部の挿入部に、前記挿入部の外周面と前記胴部の内周面との間に挟持可能に設けられ、前記ピンの軸方向視において所定の開口を有する挟持部材を備え、前記ピンのピン本体の側面には、前記ピン本体の径方向に突出する突起部を少なくとも１つ設け、前記挿入部の側面には、前記突起部が挿脱可能に形成された第１切り込み部を設け、前記頭部と前記胴部とを連結させる際には、前記突起部と前記第１切り込み部とが係合しない状態で前記ピンを前記挿入部に挿入して、前記挿入部の外周面と前記胴部の内周面との間に前記挟持部材を挟持させ、前記第１切り込み部と前記突起部とを係合させることで、前記頭部と前記胴部とがロックされる。
【発明の効果】
【０００９】
発明の一態様によれば、頭部と胴部との装着時には装着状態を安定して維持できると共に、頭部と胴部との脱離時には容易に脱離できる。
【図面の簡単な説明】
【００１０】
【図１】一実施形態に係る歯科用トルクレンチの斜視図である。
【図２】図１のI−I断面図である。
【図３】歯科用トルクレンチの本体の頭部と胴部とを分離した状態を示す斜視図である。
【図４】図３のII−II方向から見た時の部分拡大図である。
【図５】図２のIII−III方向から見た時の断面図である。
【図６】図１のIV−IV方向から見た時の断面図である。
【図７】図１のV−V方向から見た時の断面図である。
【図８】歯科用トルクレンチに係止される工具の一例を示す正面図である。
【図９】歯科用トルクレンチの本体の頭部と胴部との装着手順の一工程を示す図である。
【図１０】歯科用トルクレンチの本体の頭部と胴部との装着手順の一工程を示す図である。
【図１１】歯科用トルクレンチの本体の頭部と胴部との脱離手順の一工程を示す図である。
【図１２】歯科用トルクレンチの本体の頭部と胴部との脱離手順の一工程を示す図である。
【図１３】図２に示す頭部において歯科用トルクレンチに工具が係止された状態を示す部分拡大断面図である。
【図１４】歯科用トルクレンチにおけるラチェット機構の反転手順の一工程を示す図である。
【図１５】歯科用トルクレンチにおけるラチェット機構の反転手順の一工程を示す図である。
【図１６】歯科用トルクレンチにおけるラチェット機構の反転手順の一工程を示す図である。
【発明を実施するための形態】
【００１１】
以下、本発明の実施の形態について、図面を参照しながら詳細に説明する。なお、説明の理解を容易にするため、各図面において同一の構成要素に対しては同一の符号を付して、重複する説明は省略する。図面における各部材の縮尺は実際とは異なる場合がある。本明細書では、３軸方向（Ｘ軸方向、Ｙ軸方向、Ｚ軸方向）の３次元直交座標系を用い、本体の胴部の軸方向に平行な方向をＸ軸方向とし、頭部側が正方向、摘み部側が負方向である。胴部の軸方向に直交する面において、互いに直交する２つの方向のうち一方をＹ軸方向とし、他方をＺ軸方向とする。Ｙ軸方向は、頭部の係止部の軸方向であり、Ｚ軸方向は目盛り部の延在方向である。
【００１２】
＜歯科用トルクレンチ＞
一実施形態に係る歯科用トルクレンチの構成を説明する。図１は、一実施形態に係る歯科用トルクレンチの斜視図である。図１に示すように、歯科用トルクレンチ１は、本体１０、主軸３０及び目盛り部５０を備える。以下、歯科用トルクレンチ１を構成する各部材について説明する。
【００１３】
［本体］
図２は、図１のI−I断面図である。図２に示すように、本体１０は、頭部１１、胴部１２、挟持部材であるＣリング１３及びコイルばね１４を備える。
【００１４】
（頭部）
図２に示すように、頭部１１は、Ｙ軸方向が軸方向となる円筒状の係止部１１１と、係止部１１１の側面に連結され、Ｘ軸方向が軸方向となる円筒状の接続部１１２とを備える。
【００１５】
図２に示すように、係止部１１１は、その内周面によって囲われた空間である収容部１１３を有する。係止部１１１には工具６０（図８参照）が連結される。係止部１１１は、その内周面に、収容部１１３と接続部１１２の内部空間とを連通する、略円形の開口１１４を有する。
【００１６】
図２に示すように、接続部１１２は、係止部１１１から係止部１１１の径方向へ延在している。接続部１１２は、係止部１１１に接続された当接部１１２１と、当接部１１２１に接続され、外径が当接部１１２１よりも小さい挿入部１１２２とを、係止部１１１側からこの順に有する。
【００１７】
図２に示すように、当接部１１２１は、軸方向視において、円筒状に形成され、係止部１１１の開口１１４と連通する孔１１２１ａを有する。孔１１２１ａの大きさは、当接部１１２１の内径によって決まる。当接部１１２１の内径は、ピン３３のピン本体３３１の外径と略同じかそれ以上である。
【００１８】
当接部１１２１は、接続部１１２の挿入部１１２２側に、接続部１１２の延在方向（Ｘ軸方向）と概ね垂直な面に形成された端面１１２１ｂを有する。端面１１２１ｂは、当接部１１２１と挿入部１１２２との境界部分である。
【００１９】
図２に示すように、挿入部１１２２は、円筒状に形成されている。挿入部１１２２は、その外周面に周方向にわたって形成された溝部１１２２ａを有する。溝部１１２２ａには、Ｃリング１３が収容される。溝部１１２２ａは、挿入部１１２２が嵌合部１２１に挿入された状態のとき、嵌合部１２１の内周面に周方向にわたって設けられた溝部１２１ａと対向する位置に設けられている。これらの溝部１１２２ａ、１２１ａによる空間には、後述するように、Ｃリング１３が配置されている。
【００２０】
挿入部１１２２の内径は、溝部１１２２ａの形成されている部分では、ピン３３のピン本体３３１の外径と略同じかそれ以上であるが、ピン本体３３１の外径と２つの突起部３３３（図５参照）の高さとの和よりも小さい。
【００２１】
挿入部１１２２は、係止部１１１とは反対側（−Ｘ軸方向側）の端部である、ピン３３が挿入される他端部に、内径が溝部１１２２ａに位置する挿入部１１２２の内径よりも大きく形成された口径拡大部１１２２ｂを有する。挿入部１１２２の内径は、口径拡大部１１２２ｂでは、挿入部１１２２の他の部分より大きく形成され、ピン３３の拡大部３３４よりも大きく形成されている。そのため、口径拡大部１１２２ｂでは、ピン３３がその軸方向に回転可能である。なお、口径拡大部１１２２ｂの内径は、ピン３３のピン本体３３１の外径と２つの突起部３３３の高さとの和と略同じでもよいし、ピン３３の拡大部３３４の外径と略同一でもよい。
【００２２】
挿入部１１２２は、内径が溝部１１２２ａから係止部１１１とは反対側（−Ｘ軸方向側）の端部との間に内径が大きくなる段差１１２２ｃを有する。すなわち、挿入部１１２２は、溝部１１２２ａに位置する挿入部１１２２の内周面と口径拡大部１１２２ｂの内周面との間に段差１１２２ｃを有する。
【００２３】
図３は、図１に示す歯科用トルクレンチ１の本体１０の頭部１１と胴部１２とを分離した状態を示す斜視図であり、図４は、図３のII−II方向から見た時の部分拡大図である。図３及び図４に示すように、挿入部１１２２は、その側面に切り込み部１１６を有する。切り込み部１１６は、挿入部１１２２の側面に対向するように一対設けられている。
【００２４】
切り込み部１１６は、挿入部１１２２の側面の一部に、挿入部１１２２の他端側（―Ｘ軸方向）から係止部１１１側に向かって軸方向に沿って形成されている。
【００２５】
切り込み部１１６は、溝部１１２２ａに設けられる第１切り込み部１１６１と、係止部１１１側とは反対方向の端部と溝部１１２２ａとの間に形成される第２切り込み部１１６２とを有する。
【００２６】
図５は、図２のIII−III方向から見た時の断面図である。図５に示すように、第１切り込み部１１６１を有する挿入部１１２２の内径は、ピン３３のピン本体３３１の外径と２つの突起部３３３の長さとの和よりも小さい。第１切り込み部１１６１の幅は、突起部３３３の幅以上の大きさである。そのため、第１切り込み部１１６１は、ピン３３の突起部３３３が挿脱可能に形成されている。なお、幅とは、第１切り込み部１１６１や突起部３３３の周方向の長さをいう。
【００２７】
図３及び図４に示す第２切り込み部１１６２は、図２において、溝部１１２２ａから係止部１１１側とは反対方向の端部、すなわち、溝部１１２２ａから口径拡大部１１２２ｂが形成されている挿入部１１２２に形成されている。第２切り込み部１１６２は、図３及び図４に示すように、第１切り込み部１１６１と連通するように形成されている。
【００２８】
図６は、図２のIV−IV方向から見た時の断面図である。図６に示すように、口径拡大部１１２２ｂの内径は、図６に示すように、ピン３３のピン本体３３１の外径と２つの突起部３３３の長さとの和以上であり、ピン３３の拡大部３３４以上の大きさを有する。そのため、ピン３３を挿入部１１２２に挿入する際には、ピン３３は第２切り込み部１１６２に接触しない。
【００２９】
第２切り込み部１１６２の幅は、図４に示すように、第１切り込み部１１６１と同様、突起部３３３の幅以上の大きさに形成されている。
【００３０】
（胴部）
図１及び図２に示すように、胴部１２は、円筒状の部材であり、頭部１１の接続部１１２に着脱可能に連結される嵌合部１２１と、小径部１２２とを備えている。
【００３１】
図１及び図２に示すように、嵌合部１２１は、一端から延在方向に沿って所定の位置まで嵌合部１２１の外径が小径部１２２の外径よりも大きく形成されている。嵌合部１２１には、接続部１１２の挿入部１１２２が挿入される。
【００３２】
嵌合部１２１は、その接続部１１２側に、当接部１１２１の端面１１２１ｂと同様、胴部１２の延在方向（Ｘ軸方向）と概ね垂直な面に形成された端面を有する。
【００３３】
嵌合部１２１は、その内周面に周方向にわたって溝部１２１ａを有する。溝部１２１ａは、挿入部１１２２が嵌合部１２１に挿入された状態のとき、挿入部１１２２の外周面に設けられた溝部１１２２ａと対向する位置に設けられている。溝部１１２２ａと溝部１２１ａにより形成された空間に配置されたＣリング１３によって、挿入部１１２２と嵌合部１２１とは連結されている。
【００３４】
図１及び図２に示すように、小径部１２２は、頭部１１の接続部１１２に固定される一端部から他端側（−Ｘ軸方向）へ所定の間隔をあけて設けられる。小径部１２２は、胴部１２中で最小の内径を有する。小径部１２２の内径は、主軸３０の直径と概ね同じ大きさとする。
【００３５】
小径部１２２は、図２に示すように、その側面の一部に、頭部１１と反対側の端から小径部１２２側に向かって軸方向に沿って形成された切欠き１２２ａを有する。切欠き１２２ａは、係止部１１１の筒軸方向（Ｙ軸方向）からみて胴部１２の延在方向と垂直な方向における一方の側（−Ｚ軸方向側）に位置している。切欠き１２２ａの幅は、主軸３０の直径よりも大きく形成されている。
【００３６】
切欠き１２２ａは、頭部１１と反対側の端から所定の部位まで形成されていればよく、小径部１２２の軸方向の全長に渡って形成されていなくてもよい。
【００３７】
（Ｃリング）
図５に示すように、Ｃリング１３は、ピン３３の軸方向視においてＣ型に形成された挟持部材である。Ｃリング１３は、リング状をしていて、このリングの周方向の１箇所に開口（切れ目）を備えたものである。Ｃリング１３の切れ目の開き角は、Ｃリング１３が押圧された際に撓むことができる程度の大きさであればよい。
【００３８】
図２に示すように、Ｃリング１３は、胴部１２の内部空間に挿入される、挿入部１１２２の溝部１１２２ａに設けられている。挿入部１１２２の外周面と胴部１２の嵌合部１２１とが連結された時は、溝部１１２２ａと溝部１２１ａとの間に形成される空間に、Ｃリング１３は挿入部１１２２の外周面と胴部１２の嵌合部１２１の内周面との間に挟持された状態で設けられる。Ｃリング１３によって挿入部１１２２と嵌合部１２１とが連結されている。
【００３９】
Ｃリング１３は、図５に示すように、ピン３３の軸方向視において所定の開口を有する。そのため、図２に示すように、Ｃリング１３が溝部１１２２ａに嵌め込まれた状態で、挿入部１１２２が嵌合部１２１に挿入されると、Ｃリング１３は、嵌合部１２１の内周面に押圧されて開口が閉じるように弾性変形し、外径が縮小された状態となる。挿入部１１２２が溝部１１２２ａと溝部１２１ａとが対向する位置まで挿入されると、Ｃリング１３は弾性復帰して、胴部１２の内周面を押し付けることで、接続部１１２が胴部１２に固定される。
【００４０】
（コイルばね）
図２に示すように、コイルばね１４は、螺旋状に巻回された線材からなる弾性体である。コイルばね１４は、胴部１２の内部空間であって、胴部１２の小径部１２２と主軸３０のピン３３との間の空間に収縮可能に配置されている。コイルばね１４には主軸３０が挿通しており、コイルばね１４の一端は小径部１２２に当接し、他端はピン３３に当接する。なお、コイルばね１４のばね定数や大きさは適宜設定できる。
【００４１】
図２に示すように、コイルばね１４の弾性力によって、胴部１２に保持される主軸３０は頭部１１側に付勢されている。図７は、図１のV−V方向から見た時の断面図である。図７に示すように、歯科用トルクレンチ１が図２に示す状態にあるときは、ピン３３の突起部３３３の＋Ｘ軸方向側の端が、第１切り込み部１１６１（図３及び図４参照）の＋Ｘ軸方向側端に当接している。
【００４２】
胴部１２の内部にコイルばね１４が配置される空間は、図２に示すように、爪部３３２の先端が開口１１４から収容部１１３に突出する位置から、拡大部３３４が口径拡大部１１２２ｂから抜き出される位置まで、ピン３３がＸ軸方向に移動できるように形成されている。
【００４３】
ピン３３の突起部３３３が口径拡大部１１２２ｂの位置になるまで主軸３０を移動させると、主軸３０は軸回りに回転させられる。
【００４４】
図２に示すように、胴部１２は、コイルばね１４が配置される位置に、内部空間へ貫通する窓部１２ａを有する。窓部１２ａは、例えば、胴部１２をＺ軸方向に貫通して形成されている。胴部１２の外周には、一対の窓部１２ａが対向配置されている。窓部１２ａを胴部１２に設けることにより、本体１０内でのピン３３の位置やコイルばね１４の伸縮具合等を目視で確認できる。また、本体１０を頭部１１と胴部１２に脱離された際、本体１０の内部空間の清掃性や通気性が向上する。
【００４５】
［主軸］
図１及び図２に示すように、主軸３０は、円柱状の部材であり、主軸３０の径方向への所定の範囲内のトルクに対して弾性を有する。主軸３０は、その軸が胴部１２の筒軸と概ね一致するように胴部１２に挿入されている。主軸３０は、その軸方向に移動できると共に、主軸３０の軸回りに回転できるように、胴部１２に保持されている。
【００４６】
主軸３０の直径は、胴部１２の小径部１２２の内径と概ね同じ大きさとされる。主軸３０は小径部１２２に挿入されて、小径部１２２によって支持される。主軸３０の直径は、胴部１２の切欠き１２２ａの幅、すなわち胴部１２の延在方向と概ね垂直な方向（Ｙ軸方向）の幅よりも小さい。
【００４７】
図２に示すように、主軸３０の頭部１１側（＋Ｘ軸方向側）の一端部３０ａは、接続部１１２の内部に位置する。
【００４８】
図２に示すように、主軸３０の頭部１１とは反対側（−Ｘ軸方向側）の他端部３０ｂは、胴部１２における頭部１１と反対側の端から外部に突出しており、他端部３０ｂには摘み部３１が設けられる。
【００４９】
摘み部３１の側面には、図１に示すように、矢印３２が付されている。矢印３２は、後述するピン３３の爪部３３２の係合面３３２ｂの向きを示す。図１では、切欠き１２２ａ側を指す。矢印３２は、印刷又は刻印等によって形成できる。
【００５０】
（ピン）
図２に示すように、ピン３３は、主軸３０の一端部３０ａに設けられ、主軸３０の軸方向に延在している。ピン３３は、接続部１１２の孔（当接部１１２１の孔１１２１ａと挿入部１１２２の孔）に挿入される。
【００５１】
図３及び図４に示すように、ピン３３は、ピン本体３３１、爪部３３２、突起部３３３及び拡大部３３４を有する。
【００５２】
図２に示すように、ピン本体３３１は、主軸３０の先端に設けられている。図３に示すように、ピン本体３３１は、主軸３０の軸方向に延在し、概ね円柱状に形成されている。
【００５３】
図２に示すように、爪部３３２は、ピン本体３３１の先端部側（＋Ｘ軸方向側）に設けられている。爪部３３２は、係止部１１１の収容部１１３に露出して、ねじ７０（図８参照）に対して一方向に回転力を伝達する。爪部３３２は、係止部１１１の筒軸方向（Ｙ軸方向）視において先細りとなるように主軸３０の軸方向に対して傾いた傾斜面３３２ａと、軸方向と概ね平行な係合面３３２ｂと有する。
【００５４】
図２に示すように、傾斜面３３２ａは、係止部１１１の筒軸方向視おいて切欠き１２２ａが位置する側とは反対方向（＋Ｚ軸方向）に位置している。
【００５５】
図２に示すように、係合面３３２ｂは、係止部１１１の筒軸方向視おいて切欠き１２２ａが位置する側（−Ｚ軸方向）に位置している。
【００５６】
図２に示すように、爪部３３２の先端部は、係止部１１１の内周面に形成された開口１１４から収容部１１３に突出している。
【００５７】
爪部３３２の係合面３３２ｂが位置する向きは、矢印３２の向きより特定できる。図１及び図２では、係合面３３２ｂが切欠き１２２ａが位置する側（−Ｚ軸方向）を示す。
【００５８】
図３及び図４に示すように、突起部３３３は、ピン本体３３１の側面に一対設けられ、ピン本体３３１の径方向に突出している。一対の突起部３３３は、ピン本体３３１にピン本体３３１を挟んで対向した位置に配置されている。
【００５９】
突起部３３３は、矩形状に形成され、ピン本体３３１の軸方向に沿って形成されている。
【００６０】
突起部３３３の高さは、図５に示すように、溝部１１２２ａの内周面、すなわち第１切り込み部１１６１に位置する挿入部１１２２の内周面とピン本体３３１の外周面との距離よりも高くなるように形成されている。なお、突起部３３３の高さとは、ピン本体３３１から径方向への高さをいう。ピン本体３３１の外径は第１切り込み部１１６１の内径よりも小さい。そのため、突起部３３３は、突起部３３３の先端がピン本体３３１から第１切り込み部１１６１内に侵入できる程度の高さを有するように形成される。これにより、突起部３３３は、第１切り込み部１１６１に挿入できる。
【００６１】
突起部３３３の高さは、図６に示すように、口径拡大部１１２２ｂの内周面、すなわち第２切り込み部１１６２に位置する挿入部１１２２の内周面とピン本体３３１の外周面との距離よりも低くなるように形成されている。そのため、突起部３３３は、口径拡大部１１２２ｂでは、突起部３３３はピン本体３３１と共にその軸方向に回転可能である。
【００６２】
突起部３３３の幅は、図５に示すように、第１切り込み部１１６１の幅以下の大きさに形成されている。これにより、突起部３３３が第１切り込み部１１６１内に挿入される際、突起部３３３は第１切り込み部１１６１内に嵌め込みやすい。
【００６３】
図３及び図４に示すように、突起部３３３の軸方向（Ｘ軸方向）における長さは、第１切り込み部１１６１の軸方向（Ｘ軸方向）の長さ以下とすることが好ましい。突起部３３３の軸方向（Ｘ軸方向）の長さが第１切り込み部１１６１の軸方向（Ｘ軸方向）の長さ以下であれば、突起部３３３は第１切り込み部１１６１内に安定して挿入される。
【００６４】
突起部３３３は、ピン本体３３１の側面に一体に形成されている。なお、突起部３３３は、ピン本体３３１と別部材として、ピン本体３３１の側面に溶接等で固定して取り付けてもよい。
【００６５】
図３及び図４に示すように、拡大部３３４は、ピン本体３３１の爪部３３２側とは反対方向（−Ｘ軸方向）の端部の側面に設けられている。拡大部３３４の軸方向視における径方向の大きさは、図３及び図４に示すように、ピン本体３３１よりも大きく、図６及び図７に示すように、口径拡大部１１２２ｂよりも小さい。ピン本体３３１と拡大部３３４との軸方向視における内径の和は、ピン本体３３１の外径と２つの突起部３３３の高さとの和の値以上の大きさとなるように形成されている。
【００６６】
［目盛り部］
図１に示すように、目盛り部５０は、基部５１と、目盛り５２とを有する。
【００６７】
基部５１は、胴部１２の頭部１１と反対側（−Ｘ軸方向側）の端に固定され、胴部１２から切欠き１２２ａが位置する側（−Ｚ軸方向側）へ胴部１２を越えて延在する。係止部１１１の筒軸方向視において、基部５１は直線状に形成されている。なお、基部５１の形状は、頭部１１と反対側へ凸状に湾曲する円弧形状であってもよい。基部５１には主軸３０が挿通される。
【００６８】
基部５１の表面のうち、係止部１１１の筒軸方向における両側の表面に、目盛り５２が形成されている。目盛り５２は印刷や刻印等によって形成できる。
【００６９】
歯科用トルクレンチ１を構成する各部材について説明したが、歯科用トルクレンチ１に係止される工具について説明する。なお、工具とは、歯科用トルクレンチ１に用いられるトルクレンチアダプター等をいう。
【００７０】
図８は、歯科用トルクレンチ１に係止される工具６０の一例を示す正面図である。図８に示すように、工具６０は、概ね円柱状の部材であり、工具６０の径が最小とされている工具胴部６１と、工具胴部６１に接続され、径が工具胴部６１の径よりも大きく形成された工具頭部６２とを有する。
【００７１】
工具胴部６１は、工具頭部６２と反対側の端に、工具胴部６１の軸方向に窪んだ凹部６１１を有する。凹部６１１にねじ７０の頭部が嵌合して、ねじ７０が工具６０に連結される。
【００７２】
工具頭部６２は、その直径が係止部１１１（図１参照）の内径と概ね同じ大きさとなるように形成されている。
【００７３】
工具頭部６２は、その工具胴部６１側の端部に、外周面から径方向に突出する環状のフランジ６２１と、フランジ６２１から工具胴部６１と反対側へ所定の間隔をあけて外周面から径方向に環状に突出した環状突起６２２とを有する。工具頭部６２は、環状突起６２２よりも工具胴部６１と反対側の外周面に、工具頭部６２の軸方向に延びる複数の溝６２３を有する。複数の溝６２３は、工具頭部６２の周方向に概ね等間隔で形成されている。
【００７４】
上記の、歯科用トルクレンチ１の各部材を構成する材料は、特に限定されない。生産性や耐久性等の観点から、本体１０、主軸３０及び目盛り部５０等を構成する材料として、例えば、チタン、チタン合金、ステンレス鋼、アルミニウム、炭素鋼等の金属を用いることができる。
【００７５】
次に、歯科用トルクレンチ１の本体１０の頭部１１と胴部１２との連結手順及び脱離手順を図９及び図１０を用いて説明する。
【００７６】
まず、歯科用トルクレンチ１の本体１０の頭部１１と胴部１２との連結手順について説明する。図９に示すように、頭部１１と胴部１２とを連結させる際には、主軸３０の摘み部３１を頭部１１側に押し込んで胴部１２に接触させ、ピン３３を胴部１２の嵌合部１２１から頭部１１側に突き出させる。その後、摘み部３１を主軸３０の軸回りに約９０°回転して、ピン３３の突起部３３３が＋Ｚ軸方向を向くように主軸３０と共にピン３３をＸ軸回りに９０°回転させる。これにより、突起部３３３が第１切り込み部１１６１に挿入されない位置に調整される。
【００７７】
その後、図１０に示すように、頭部１１の接続部１１２を胴部１２の嵌合部１２１内に押し込む。そして、突起部３３３と第１切り込み部１１６１とが係合していない状態でピン３３を挿入部１１２２に挿入する。挿入部１１２２の外周面に設けた溝部１１２２ａと嵌合部１２１の内周面に設けた溝部１２１ａとの間にＣリング１３を挟持させ、Ｃリング１３を介して頭部１１を胴部１２に連結させる（図２参照）。このとき、ピン３３の突起部３３３には、コイルばね１４によって、挿入部１１２２の溝部１１２２ａの第２切り込み部１１６２側の段差１１２２ｃに主軸３０を頭部１１側（＋Ｘ軸方向側）に付勢する付勢力が作用する。これにより、突起部３３３が段差１１２２ｃに当接する。
【００７８】
その後、摘み部３１を摘まんで主軸３０と共にピン３３をＸ軸回りに例えば約９０°回転させると、ピン３３の突起部３３３がコイルばね１４の付勢力によって第１切り込み部１１６１内に挿入される。第１切り込み部１１６１と突起部３３３とを係合させることで、頭部１１と胴部１２とがロックされる。そして、図１及び図２に示すように、主軸３０の爪部３３２の先端部は、係止部１１１の開口１１４から収容部１１３に突出する。図１及び図２に示す状態では、爪部３３２の向きが図２に示す方向である。
【００７９】
次に、歯科用トルクレンチ１の頭部１１と胴部１２との脱離手順について説明する。頭部１１と胴部１２とを脱離する際には、図１に示す状態において、図１１に示すように、主軸３０の摘み部３１を摘まんで頭部１１と反対側（−Ｘ軸方向側）に主軸３０の軸方向に沿って引っ張る。これにより、ピン３３と共に突起部３３３は第１切り込み部１１６１から引き抜かれる。爪部３３２の先端部は収容部１１３内に突出しない状態となり、コイルばね１４は、摘み部３１の引張力によって収縮する。ピン３３の突起部３３３は、頭部１１の口径拡大部１１２２ｂ内に移動する。
【００８０】
次に、図１２に示すように、摘み部３１（図２参照）を操作して、主軸３０と共にピン３３をＸ軸回りに例えば約９０°回動する。このとき、主軸３０の回転に伴い、ピン３３もＸ軸回りに例えば約９０°回転する。これにより、頭部１１の口径拡大部１１２２ｂに対する、ピン３３の突起部３３３の相対位置が変化する。そして、挿入部１１２２の内周面に形成された段差１１２２ｃには、ピン３３の突起部３３３がコイルばね１４によって頭部１１側（＋Ｘ軸方向側）に付勢する付勢力が作用し、突起部３３３が段差１１２２ｃに当接する。
【００８１】
その後、図９に示すように、頭部１１と胴部１２の嵌合部１２１とを軸方向に引き離して、頭部１１と胴部１２とを分離する。
【００８２】
次に、歯科用トルクレンチ１によるねじ７０（図８参照）の締め付けについて説明する。図１３は、図２に示す頭部において歯科用トルクレンチ１工具６０が係止された状態を示す部分拡大断面図である。なお、図１３では、頭部１１付近を示す。図１３に示すように、歯科用トルクレンチ１の本体１０の頭部１１にねじ７０（図８参照）の締結用の工具６０を連結させる。具体的には、係止部１１１によって囲われる空間である収容部１１３に工具６０の工具頭部６２を挿入する。そして、工具頭部６２の環状突起６２２（図８参照）を撓ませて、環状突起６２２（図８参照）を係止部１１１の内周面に形成される環状の溝１１１ａ（図１参照）に係合させる。これにより、工具６０は、係止部１１１の筒軸を中心とした回転ができるように係止部１１１に係止される。
【００８３】
上記のように、主軸３０の爪部３３２の先端部は、係止部１１１の開口１１４から係止部１１１の収容部１１３に突出している。この爪部３３２の先端部が工具頭部６２に形成される複数の溝６２３のうちの１つに係合することで、頭部１１に工具６０が連結される。
【００８４】
次に、爪部３３２の先端部が溝６２３に押し込まれた状態で、切欠き１２２ａ（図２参照）が位置する側に主軸３０が曲がるように、主軸３０の摘み部３１（図１参照）に力を加える。図１３において、工具６０を中心とした時計回りの方向（図２の破線側）のトルクを主軸３０に加える。上記のように、主軸３０は胴部１２に保持されているため、主軸３０にトルクが加えられると、トルクは本体１０に伝達される。具体的には、トルクは、主軸３０を支持している胴部１２の小径部１２２に伝達される。この際、爪部３３２の係合面３３２ｂが工具頭部６２の溝６２３の内面に当接し、爪部３３２が溝６２３に係合される。工具６０が頭部１１に連結されることで、工具６０に連結されるねじ７０（図８参照）も工具６０を介して頭部１１に連結される。頭部１１に連結された工具６０を介してねじ７０（図８参照）にトルクが加えられると、この加えられたトルクによってねじ７０（図８参照）が締め付けられる。
【００８５】
このとき、主軸３０は、図２に点線で示すように、切欠き１２２ａから胴部１２の外部に出て湾曲している。このときの目盛り部５０の目盛り５２が、主軸３０の曲がり度合いに基づいてねじ７０（図８参照）に加わるトルクを示すものとされている。そのため、目盛り５２における所望のトルクを示す位置と曲がった主軸３０とが重なるように主軸３０にトルクを加えることで、所望のトルクをねじ７０（図８参照）に加えることができ、所望のトルクでねじ７０（図８参照）が締結される。
【００８６】
爪部３３２は、その先端部に傾斜面３３２ａを有しており、傾斜面３３２ａに力が加わると、傾斜面３３２ａに加わる力は、主軸３０の軸方向に作用する。この軸方向の力によって、主軸３０は軸方向に移動し得る。そのため、歯科用トルクレンチ１にトルクを加えた際には、傾斜面３３２ａに工具頭部６２の溝６２３の縁部が当接して傾斜面３３２ａに力が加わる。すなわち、図１３において、工具６０を中心とした反時計回りの方向のトルクを歯科用トルクレンチ１に加えると、工具頭部６２の外周面及び溝６２３の内面に沿って、主軸３０が係止部１１１とは反対側の軸方向（−Ｘ軸方向）に移動する。そして、爪部３３２が溝６２３から抜かれ、爪部３３２と溝６２３との係合が解かれる。その結果、ねじ７０（図８参照）にトルクが加わらない。
【００８７】
よって、歯科用トルクレンチ１へのトルクの加え方に応じてねじ７０（図８参照）にトルクが加わらないようにし得る。爪部３３２の係合面３３２ｂがある方向（図１３中、工具６０を中心として時計回り）にトルクが加わると、爪部３３２と工具６０とが係合して工具６０を回転させ、工具６０を介してねじ７０にトルクが加えられる。一方、爪部３３２の傾斜面３３２ａがある方向（図１６中、工具６０を中心として時計回り）にトルクが加わると、爪部３３２と工具６０とが非係合となって、歯科用トルクレンチ１が空転し、ねじ７０にトルクが加えられない。このように、歯科用トルクレンチ１は、爪部３３２の動作による、いわゆるラチェット機構（送り機能）を有する。
【００８８】
次に、歯科用トルクレンチ１のラチェット機構の反転手順を図１４〜図１６を用いて説明する。この説明では、初期状態は、爪部３３２の向きが図２に示す方向である。この状態では、歯科用トルクレンチ１は工具６０を図１４〜図１６中の時計回り方向に回動可能となっている。
【００８９】
まず、図１４に示すように、主軸３０の摘み部３１（図２参照）を摘まんで主軸３０の軸方向であって頭部１１と反対側（−Ｘ軸方向側）に主軸３０を引っ張り、爪部３３２の先端部が収容部１１３内に突出しない状態とする。このとき、コイルばね１４は、摘み部３１の引張力によって収縮しており、ピン３３の突起部３３３は、頭部１１の口径拡大部１１２２ｂ内に移動している。
【００９０】
次に、図１５に示すように、摘み部３１（図２参照）を、主軸３０のＸ軸回りに例えば約１８０°回動する。主軸３０の回転に伴い、ピン３３もＸ軸回りに例えば約１８０°回転することで、頭部１１の口径拡大部１１２２ｂに対する、ピン３３の突起部３３３の相対位置が１８０°回転する。
【００９１】
摘み部３１（図２参照）を引っ張ること止めて、主軸３０の引張りを解くと、図１６に示すように、主軸３０にはコイルばね１４によって主軸３０を頭部１１側（＋Ｘ軸方向側）に付勢する付勢力が作用する。そのため、ピン３３の突起部３３３は、頭部１１の第１切り込み部１１６１に嵌合する。主軸３０の爪部３３２の先端部は、図１３の状態から例えば約１８０°回転した向きで開口１１４から収容部１１３に押し出され、工具頭部６２の外周面に押し付けられる。
【００９２】
この状態で、歯科用トルクレンチ１を工具６０に対して回動し、爪部３３２の先端部を工具頭部６２の溝６２３上に位置させる。溝６２３上に位置した爪部３３２の先端部は、コイルばね１４の付勢力によってこの溝６２３に押し込まれる。この状態では、歯科用トルクレンチ１は工具６０を図面の反時計回り方向に回動可能に切り替わり、ラチェット機構が反転される。
【００９３】
このように、歯科用トルクレンチ１は、ピン３３のピン本体３３１に突起部３３３を備え、頭部１１の接続部１１２の挿入部１１２２には第１切り込み部１１６１を設け、頭部１１の挿入部１１２２の溝部１１２２ａにＣリング１３を設けている。突起部３３３を第１切り込み部１１６１に挿入すると、頭部１１と胴部１２とが装着されている状態の時には、溝部１１２２ａに設けたＣリング１３が嵌合部１２１の内周面を押圧することで、頭部１１と胴部１２とがロックされている。そのため、頭部１１を胴部１２から引き離す方向に力が胴部１２に加わり、Ｃリング１３が撓もうとしても、突起部３３３がＣリング１３の内周面を押圧し、突起部３３３がＣリング１３の開口が閉じるのを抑えるため、Ｃリング１３が撓むことができない。よって、接続部１１２の挿入部１１２２が胴部１２の嵌合部１２１から抜けるのを抑制できる。したがって、頭部１１と胴部１２との装着時には、頭部１１と胴部１２との脱離が生じるのを抑制でき、頭部１１と胴部１２との装着状態を安定して維持できる。
【００９４】
また、頭部１１と胴部１２とを脱離する時には、主軸３０を引いてピン３３を回転させることで突起部３３３は第１切り込み部１１６１から引き出せる。頭部１１を胴部１２から引き離す方向に力が胴部１２に加わると、Ｃリング１３が撓もうとした際、Ｃリング１３の開口は閉じれるため、Ｃリング１３は撓むことができる。そのため、接続部１１２の挿入部１１２２は胴部１２の嵌合部１２１から容易に引き抜くことができる。よって、頭部１１と胴部１２との装着状態を維持する必要がない時には、これらの脱離を容易に行うことができる。
【００９５】
よって、歯科用トルクレンチ１は、頭部１１と胴部１２とが装着されている時には、その装着状態を安定して維持できると共に、頭部１１と胴部１２との脱離時には、これらを容易に脱離できる。したがって、歯科用トルクレンチ１は、操作性が良いため、インプラント治療での作業性を向上させることができる。
【００９６】
歯科用トルクレンチ１は、頭部１１に第１切り込み部１１６１を設け、ピン３３に突起部３３３を設けるだけであるため、容易に加工できる。また、加工が容易であるため、製造コストを低減できる。さらに、頭部１１と胴部１２とを分離することで、突起部３３３や第１切り込み部１１６１等を容易に清掃できるため、清浄性を向上できる。
【００９７】
歯科用トルクレンチ１は、挿入部１１２２の側面に、周方向にわたって形成されたＣリング１３を収容する溝部１１２２ａを形成し、溝部１１２２ａに第１切り込み部１１６１を設けている。これにより、Ｃリング１３を溝部１１２２ａで安定して保持できるので、ピン３３の挿脱を繰り返し行っても、Ｃリング１３の位置の変動を抑えることができる。また、溝部１１２２ａでＣリング１３を保持させることで、突起部３３３を第１切り込み部１１６１に挿入した際に、突起部３３３はより確実にＣリング１３の撓みを抑えることができる。
【００９８】
歯科用トルクレンチ１は、挿入部１１２２の、ピン３３が挿入される他端部に口径拡大部１１２２ｂを備え、溝部１１２２ａに位置する挿入部１１２２の内周面と口径拡大部１１２２ｂの内周面との間に段差１１２２ｃを形成している。ピン３３を引いた際、段差１１２２ｃで突起部３３３の先端を引っ掛けることができるため、ピン３３の引いた状態を維持できる。また、突起部３３３のピン本体３３１から径方向への高さは、口径拡大部１１２２ｂの内周面とピン本体３３１との距離よりも低いので、口径拡大部１１２２ｂで突起部３３３をピン３３と共に軸回りに回転させることができる。これにより、ピン３３を引く力を軽減できると共に、コイルばね１４の負担を軽減できる。さらに、口径拡大部１１２２ｂは、挿入部１１２２の他端部に設けられることで、突起部３３３を第１切り込み部１１６１に挿入しない時には、ピン３３の突起部３３３を口径拡大部１１２２ｂの位置まで引き抜けば良いため、作業が易くなる。
【００９９】
歯科用トルクレンチ１は、挿入部１１２２の口径拡大部１１２２ｂの側面に第２切り込み部１１６２を設けている。第２切り込み部１１６２は第１切り込み部１１６１と連通しているため、第２切り込み部１１６２を介して、第１切り込み部１１６１への突起部３３３の挿入及び引き抜きがし易くなる。
【０１００】
歯科用トルクレンチ１は、ピン３３に、ピン本体３３１の頭部１１とは反対側の端部に拡大部３３４を備える。拡大部３３４の外径は、径方向の大きさがピン本体３３１の外径よりも大きく、口径拡大部１１２２ｂの内径よりも小さく形成されている。ピン３３が拡大部３３４を備えることで、突起部３３３を第１切り込み部１１６１に挿入した際、ピン本体３３１の端部と挿入部１１２２との隙間が減らせるので、挿入部１１２２とピン３３との連結を安定させることができる。
【０１０１】
歯科用トルクレンチ１は、ピン３３がピン本体３３１の先端に爪部３３２を備えるので、頭部１１に露出して工具６０に一方向に回転力を伝達できるので、工具６０に一方向にのみ回転させることでき、逆回転を防げる。また、歯科用トルクレンチ１は、ピン３３を第１切り込み部１１６１から抜き出して例えば約１８０°回転するだけで、爪部３３２の向きを容易かつ確実に切り替えることができるので、ラチェット機構の反転を容易にできる。
【０１０２】
変形例を説明する。本実施形態では、突起部３３３の先端は、ピン３３の長手方向（Ｙ軸方向）から見たとき、円弧状に形成されていてもよいし、角に丸みを有していてもよい。また、突起部３３３の先端は、ピン３３の軸方向視において台形状、三角状に形成されていてもよい。
【０１０３】
本実施形態では、突起部３３３の数は、１つでもよいし、３つ以上でもよい。
【０１０４】
本実施形態では、胴部１２が円筒状の部材である構成を例示したが、胴部１２は主軸３０を内包できれば円筒状以外でもよい。例えば、胴部１２はその軸方向視において断面が多角形状の筒体でもよい。また、胴部１２は完全な筒状ではなく、軸方向（Ｘ軸方向）に沿って隙間が形成されていてもよい。
【０１０５】
本実施形態では、胴部１２の嵌合部１２１の外径が他の部位の外径よりも大きい構成を例示したが、他の部位と略同一径でもよい。
【０１０６】
本実施形態では、主軸３０が円柱状の部材である構成を例示したが、例えば断面が多角形状など円柱状以外でもよい。
【０１０７】
本実施形態では、溝部１１２２ａから係止部１１１側とは反対方向の端部に形成される第２切り込み部１１６２は、なくてもよい。
【０１０８】
本実施形態では、頭部１１の接続部１１２を胴部１２の嵌合部１２１に固定させる挟持部材としてＣリング１３を用いているが、挟持部材は挿入部１１２２を嵌合部１２１に嵌合させることができればよい。例えば、挟持部材は、Ｃリング１３以外に、ピン３３の軸方向視において所定の開口を有する多角形としてもよい。
【０１０９】
以上の通り、本実施形態を説明したが、上記実施形態は、例として提示したものであり、上記実施形態に限定されるものではない。上記実施形態は、その他の様々な形態で実施されることが可能であり、発明の要旨を逸脱しない範囲で、種々の組み合わせ、省略、置き換え又は変更等を行うことができる。これら実施形態やその変形は、発明の範囲や要旨に含まれると共に、特許請求の範囲に記載された発明とその均等の範囲に含まれる。
【符号の説明】
【０１１０】
１  歯科用トルクレンチ
１０  本体
１１  頭部
１１１  係止部
１１２  接続部
１１２２ａ  溝部
１１２２ｂ  口径拡大部
１１２２ｃ  段差
１１２１  当接部
１１２２  挿入部
１１３  収容部
１１４  開口
１１６１  第１切り込み部
１１６２  第２切り込み部
１２  胴部
１２１  嵌合部
１２２  小径部
１３  Ｃリング（挟持部材）
１４  コイルばね
３０  主軸
３０ａ  一端部
３０ｂ  他端部
３３  ピン
３３１  ピン本体
３３２  爪部
３３３  突起部
３３４  拡大部
３４  爪部
５０  目盛り部
【図１】
2020048860.tif 000003
【図２】
2020048860.tif 000004
【図３】
2020048860.tif 000005
【図４】
2020048860.tif 000006
【図５】
2020048860.tif 000007
【図６】
2020048860.tif 000008
【図７】
2020048860.tif 000009
【図８】
2020048860.tif 000010
【図９】
2020048860.tif 000011
【図１０】
2020048860.tif 000012
【図１１】
2020048860.tif 000013
【図１２】
2020048860.tif 000014
【図１３】
2020048860.tif 000015
【図１４】
2020048860.tif 000016
【図１５】
2020048860.tif 000017
【図１６】
2020048860.tif 000018